(57)【要約】【課題】罫線で縁取りされたラベルを印刷する場合にも、ラベル使用量の抑制を図ることが可能なラベル印刷装置を提供する。【解決手段】ラベル印字装置１０は、台紙レスラベルに所定の商品情報を印字してラベル片を生成する装置である。ラベル印字装置は、左側に配置される項目印字用サブ罫線枠と、右側に配置される内容印字用サブ罫線枠とに分割されたメイン罫線枠をフォーマットに用い、項目印字用サブ罫線枠内に配置される項目に関する項目印字群と、内容印字用サブ罫線枠内に配置される項目に対応する内容に関する内容印字群とを、商品情報として印字する。ラベル印字装置は、把握部８４ａと、印字画像生成部８４ｃと、を備える。把握部は、項目印字群の領域高さおよび内容印字群の領域高さを把握する。印字画像生成部は、項目印字群の領域高さおよび内容印字群の領域高さを用いて、メイン罫線枠の上罫線および下罫線の高さ位置を決定する。【選択図】図２
2015033809.tif 000002
【特許請求の範囲】
【請求項１】
台紙レスラベルに商品情報を印字してラベル片を生成するラベル印字装置であって、
左側に配置される第１サブ罫線枠と、右側に配置される第２サブ罫線枠とに分割されたメイン罫線枠をフォーマットに用い、前記第１サブ罫線枠内に配置される、項目に関する項目印字群と、前記第２サブ罫線枠内に配置される、前記項目に対応する内容に関する内容印字群とを、前記商品情報として印字するものであって、
前記項目印字群の領域高さおよび前記内容印字群の領域高さを把握する把握部と、
前記項目印字群の領域高さおよび前記内容印字群の領域高さを用いて、前記メイン罫線枠の上罫線および下罫線の高さ位置を決定する上下罫線位置決定部と、
を備えた、
ラベル印字装置。
【請求項２】
前記項目には原材料名を含む、
請求項１に記載のラベル印字装置。
【請求項３】
前記メイン罫線枠を更に上下に複数段に分割したフォーマットを用い、各段の前記第１サブ罫線枠内および前記第２サブ罫線枠内に、それぞれ、各段別の前記項目印字群および前記内容印字群を印字する請求項１または２に記載のラベル印字装置であって、
前記上下罫線位置決定部は、各段別に前記項目印字群の領域高さおよび前記内容印字群の領域高さのうち大きい方を選択し、選択した値を合計して合計値を算出し、前記上罫線と前記下罫線の間の高さと、前記合計値とが等しくなるように、前記メイン罫線枠の前記上罫線および前記下罫線の高さ位置を決定する、
ラベル印字装置。
【請求項４】
前記上下罫線位置決定部は、各段の、前記第１サブ罫線枠および前記第２サブ罫線枠に共通のサブ上罫線およびサブ下罫線の高さ位置を更に決定するものであって、
前記上下罫線位置決定部は、各段の前記サブ上罫線と前記サブ下罫線との間の高さが、各段の前記項目印字群の領域高さおよび前記内容印字群の領域高さのうち大きい方と等しくなるように、各段の前記サブ上罫線および前記サブ下罫線の高さ位置を決定する、
請求項３に記載のラベル印字装置。
【発明の詳細な説明】
【技術分野】
【０００１】
本発明は、ラベル印字装置に関する。
【背景技術】
【０００２】
従来、商品の名称や原材料を印字したラベルを作成するラベル印字装置が知られている。特に、廃棄物量の削減を目的として、台紙のないラベル（台紙レスラベル）を使用する、台紙レスラベル印字装置が知られている（例えば、特許文献１（特開２００２−２８３６３３号公報））。
【０００３】
台紙レスラベル印字装置を用いてラベルを作成する場合、コスト削減や省資源対応の観点から、作成されるラベル長はできるだけ短いことが望ましい。そのため、無駄な空白スペースが生じないよう、ラベルを貼付する商品別（記載内容別）に、個別のフォーマットが準備されることが望ましい。
【０００４】
しかし、多数の商品を扱う場合には、商品別に個別のフォーマットを準備することは困難である場合も多く、実際には、共通フォーマットを利用し、画像データが何も存在しない空白行だけを不要スペースとして自動削除するという対応が採られている。
【発明の概要】
【発明が解決しようとする課題】
【０００５】
ところで、ラベル印刷装置において、例えば図１２のように、記載項目とその記載項目に対応する内容とを左右に列記し、それを罫線枠で囲ったフォーマットが用いられることがある。このようなフォーマットが用いられる場合、例えば原材料名は、商品によって必要なスペースが異なるため、全ての原材料が表示できるように、図１２のように十分な高さＨが確保される。
【０００６】
図１２のようなフォーマットが用いられる場合にも、ラベル長をできるだけ短くするため、罫線内が空白となっている高さＨ１の部分は削除されることが望ましい。しかし、図１２のように、高さＨ１の部分には画像データが存在する（罫線が存在する）ため、従来この部分を削除することはできず、無駄な空白部分が発生している。
【０００７】
本発明の課題は、罫線で縁取りされたラベルを印刷する場合にも、ラベル使用量の抑制を図ることが可能なラベル印刷装置を提供することにある。
【課題を解決するための手段】
【０００８】
本発明に係るラベル印字装置は、台紙レスラベルに商品情報を印字してラベル片を生成する装置である。本発明に係るラベル印字装置は、左側に配置される第１サブ罫線枠と、右側に配置される第２サブ罫線枠とに分割されたメイン罫線枠をフォーマットに用いる。本発明に係るラベル印字装置は、第１サブ罫線枠内に配置される、項目に関する項目印字群と、第２サブ罫線枠内に配置される、項目に対応する内容に関する内容印字群とを、商品情報として印字する。本発明に係るラベル印字装置は、把握部と、上下罫線位置決定部と、を備える。把握部は、項目印字群の領域高さおよび内容印字群の領域高さを把握する。上下罫線位置決定部は、項目印字群の領域高さおよび内容印字群の領域高さを用いて、メイン罫線枠の上罫線および下罫線の高さ位置を決定する。
【０００９】
ここでは、左右に分割されたメイン罫線枠がフォーマットに使用され、左側に配置された第１サブ罫線枠内に項目が、右側に配置された第２サブ罫線枠内にその項目に対応する内容が、それぞれ印字される場合に、メイン罫線枠の上罫線および下罫線の位置が、項目に関する印字群の領域高さと、内容に関する印字群の領域高さと、に基づいて決定される。これにより、罫線で囲まれたフォーマットを用いて台紙レスラベルに印字する場合であっても、罫線の存在にかかわらず不要な空白部分（罫線のみが存在する部分）を削除することができ、台紙レスラベルの使用量の抑制を図ることが可能である。
【００１０】
また、本発明に係るラベル印字装置では、項目には原材料名を含むことが望ましい。
【００１１】
ここでは、原材料名のように、ラベルの作成対象によって罫線枠内の記載量が変化する場合であっても、罫線の存在にかかわらず不要な空白部分（罫線のみが存在する部分）を削除して商品情報を印字でき、台紙レスラベルの使用量の抑制を図ることができる。
【００１２】
また、本発明に係るラベル印字装置は、メイン罫線枠を更に上下に複数段に分割したフォーマットを用いることが望ましい。本発明に係るラベル印字装置は、各段の第１サブ罫線枠内および第２サブ罫線枠内に、それぞれ、各段別の項目印字群および内容印字群を印字することが望ましい。上下罫線位置決定部は、各段別に項目印字群の領域高さおよび内容印字群の領域高さのうち大きい方を選択し、選択した値を合計して合計値を算出することが望ましい。そして、上下罫線位置決定部は、上罫線と下罫線の間の高さと、算出した合計値とが等しくなるように、メイン罫線枠の上罫線および下罫線の高さ位置を決定することが望ましい。
【００１３】
ここでは、メイン罫線枠が複数段に分割されたフォーマットが使用される場合であっても、上罫線および下罫線の高さ位置を適切に決定し、台紙レスラベルの使用量の抑制を図ることが可能である。
【００１４】
さらに、本発明に係るラベル印字装置では、上下罫線位置決定部は、各段の、第１サブ罫線枠および第２サブ罫線枠に共通のサブ上罫線およびサブ下罫線の高さ位置を更に決定することが望ましい。上下罫線位置決定部は、各段のサブ上罫線とサブ下罫線との間の高さが、各段の項目印字群の領域高さおよび内容印字群の領域高さのうち大きい方と等しくなるように、各段のサブ上罫線およびサブ下罫線の高さ位置を決定することが望ましい。
【００１５】
ここでは、メイン罫線枠の上罫線および下罫線の高さ位置だけではなく、サブ上罫線およびサブ下罫線の高さ位置も決定されるため、台紙レスラベルの使用量の抑制を図るとともに、ラベルに商品情報を見やすく印字することが可能である。
【発明の効果】
【００１６】
本発明に係るラベル印字装置では、罫線で囲まれたフォーマットを用いて台紙レスラベルに印字する場合であっても、罫線の存在にかかわらず印字内容から不要な空白部分（罫線のみが存在する部分）を削除することができ、台紙レスラベルの使用量の抑制を図ることが可能である。
【図面の簡単な説明】
【００１７】
【図１】本発明の一実施形態に係るラベル印字装置を有する包装システムの外観斜視図である。
【図２】図１に係る包装システムのブロック図である。
【図３】図１に係るラベル印字装置のラベル発行ユニットの概略図である。
【図４】図１に係るラベル印字装置により台紙レスラベルに印字される画像の一例（印字画像の一例）である。
【図５】図２に係るラベル印字装置の制御ユニットの商品マスタ記憶領域に記憶されるテーブルの例を示す図である。
【図６】図２に係るラベル印字装置の制御ユニットのフォーマット記憶領域に記憶されるフォーマットの例を示す図である。
【図７】図２に係るラベル印字装置の制御ユニットの基本画像記憶領域に記憶される画像の一例(基本画像の一例)である。
【図８】図２に係る制御ユニットの把握部による印字群の領域高さの把握処理のフローチャートである。
【図９】図２に係る制御ユニットの印字画像生成部の印字画像の生成処理のフローチャートである。
【図１０】図１に係るラベル印字装置により台紙レスラベルに印字される画像の一例（印字画像の一例）である。
【図１１】他の実施例に係るラベル印字装置を有する包装システムのブロック図である。
【図１２】罫線枠内に空白部分（印字群の存在しない部分）が存在する印字画像の一例である。
【発明を実施するための形態】
【００１８】
以下、図面を参照しながら、本発明の一実施形態に係るラベル印字装置１０について説明する。なお、本実施形態に係るラベル印字装置１０は例示であり、以下に記載する内容に限定されるものではない。ラベル印字装置は、発明の趣旨と矛盾しない範囲で、その他の態様も採用可能である。
【００１９】
（１）全体構成
図１は、本発明に係るラベル印字装置１０を有する包装システム１００の外観斜視図である。図２は、包装システム１００のブロック図である。
【００２０】
包装システム１００は、図１または図２に示すように、計量搬入ユニット２０、包装ユニット３０、およびラベル発行ユニット６０を有する。また、包装システム１００は、計量搬入ユニット２０、包装ユニット３０、およびラベル発行ユニット６０を制御する制御ユニット８０を有する。本実施形態では、主に、ラベル発行ユニット６０と、制御ユニット８０（制御ユニット８０のうち、特にラベル発行ユニット６０の制御に関する部分）と、によりラベル印字装置１０が構成される。
【００２１】
計量搬入ユニット２０は、トレー等の容器に入った商品を包装システム１００の内部に搬入すると共に、その商品の重量を計量する。計量搬入ユニット２０によって計量された商品は、包装ユニット３０へと搬送される。
【００２２】
包装ユニット３０は、トレー等の容器に入れられた商品をフィルムで包装する。包装ユニット３０は、図１に示すように、主として、包装材保持部３１と、包装ステーション３２と、シール部３３とを有する。包装材保持部３１は、フィルムロールを保持する。包装ステーション３２は、フィルムロールから繰り出されるフィルムを商品の下面側に折り込んで、フィルムで商品を包装する。また、包装ステーション３２は、包装された商品をシール部３３へ送り出す。シール部３３は、商品の下面に折り込まれたフィルムに熱シールを施す。
【００２３】
ラベル発行ユニット６０は、包装ユニット３０により包装された商品に貼り付けるためのラベル片ＬＰを発行する。詳細については後述する。
【００２４】
（２）詳細構成
以下に、ラベル印字装置１０が備える、ラベル発行ユニット６０および制御ユニット８０について詳細に説明する。
【００２５】
（２−１）ラベル発行ユニット
ラベル発行ユニット６０は、台紙レスラベルＬＳに商品情報を印字してラベル片ＬＰを生成する。生成されたラベル片ＬＰは、ラベル発行ユニット６０に設けられた発行口ＯＰ（図３参照）から発行される。ラベル発行ユニット６０の動作は、上述のように、制御ユニット８０によって制御される。
【００２６】
台紙レスラベルＬＳは、ラベルロールＬＲから繰り出される帯状の紙シートである。台紙レスラベルＬＳの表面は、商品情報が印字される印字面であり、サーマル印字用の感熱発色層を有する。台紙レスラベルＬＳの裏面は、粘着剤が付された粘着面である。粘着面には台紙が付されていない。
【００２７】
以下、図２および図３を参照して、ラベル発行ユニット６０の構成を説明する。ラベル発行ユニット６０は、主として、ロールホルダー６１、サーマルヘッド６２、プラテンローラ６３、カッター機構６４、およびラベル検知センサ６５を備える。
【００２８】
（２−１−１）ロールホルダー
ロールホルダー６１は、ラベルロールＬＲを回転可能に保持する機構である。ラベルロールＬＲは、シート状の台紙レスラベルＬＳが巻き付けられたロールである。ロールホルダー６１は、ラベルロールＬＲが装着される装着部を有する。装着部には、回転軸を含む。装着部の回転軸が回転することにより、ラベルロールＬＲも回転し、ラベルロールＬＲから台紙レスラベルＬＳが繰り出される。なお、台紙レスラベルＬＳは、表面（印字面）を上側に向けた状態で、開口ＯＰに向かって、下流方向（矢印Ａ参照）に搬送される（図３参照）。
【００２９】
（２−１−２）サーマルヘッド
サーマルヘッド６２は、ラベルロールＬＲから繰り出される台紙レスラベルＬＳの表面に印字する印字部である。サーマルヘッド６２は、後述するプラテンローラ６３の上方に配置される。サーマルヘッド６２は、台紙レスラベルＬＳの表面の感熱発色層に熱を加えて発色させ、台紙レスラベルＬＳに商品情報を印字する。サーマルヘッド６２には、台紙レスラベルＬＳの搬送方向に対して垂直に延びるよう複数の微小発熱体が配列されている。サーマルヘッド６２は、図３の矢印Ａの方向に搬送される台紙レスラベルＬＳに、図４のような印字画像を下側から順に（矢印Ｄ参照）印字する。
【００３０】
なお、台紙レスラベルＬＳに印字される商品情報は、項目印字群と内容印字群とからなる。項目印字群は、項目に関する印字群である。例えば、図４を例に説明すれば、ラベル片ＬＰに印字された“名称”、“原材料名”、“内容量”、“消費期限”、“保存方法”、および“製造者”の文字のそれぞれが、１つの項目印字群である。内容印字群は、項目に対応する内容に関する印字群である。図４を例に説明すれば、ラベル片ＬＰに印字された“豚ロース・・・”、“豚肉・・・”、“２００ｇ”、“２５．９．３０”、“保存温度・・・”、および“滋賀県・・・”の文字のそれぞれが、１つの内容印字群である。
【００３１】
（２−１−３）プラテンローラ
プラテンローラ６３は、台紙レスラベルＬＳを搬送するためのローラである。プラテンローラ６３が回転駆動されることで、台紙レスラベルＬＳは、下流方向（図３の矢印Ａ参照）へ送り出される。台紙レスラベルＬＳの搬送量は、プラテンローラ６３の回転量により把握される。
【００３２】
プラテンローラ６３は、サーマルヘッド６２と対向するように、サーマルヘッド６２の下方に配置されている。サーマルヘッド６２が台紙レスラベルＬＳに印字する際には、台紙レスラベルＬＳは、プラテンローラ６３とサーマルヘッド６２との間に挟み込まれる。プラテンローラ６３は、サーマルヘッド６２による印字時には、台紙レスラベルＬＳの支持部としても機能する。
【００３３】
（２−１−４）カッター機構
カッター機構６４は、ラベルロールＬＲから連続的に繰り出される台紙レスラベルＬＳから、サーマルヘッド６２により商品情報が印字された部分を切り離す。つまり、カッター機構６４は、台紙レスラベルＬＳからラベル片ＬＰを切り離す。
【００３４】
カッター機構６４は、台紙レスラベルＬＳの搬送経路において、発行口ＯＰの上流側に配置される。また、カッター機構６４は、台紙レスラベルＬＳの搬送経路において、サーマルヘッド６２およびプラテンローラ６３の下流側に配置される。
【００３５】
カッター機構６４は、台紙レスラベルＬＳに対して上方（台紙レスラベルＬＳの表面側）に配置された移動カッター６４ａと、台紙レスラベルＬＳに対して下方（台紙レスラベルＬＳの裏面側）に配置された固定カッター６４ｂと、を含む。移動カッター６４ａは、図示しないアクチュエータによって、固定カッター６４ｂに近づくように、または、固定カッター６４ｂから遠ざかるように、上下方向に駆動される。移動カッター６４ａが下方に駆動されると、移動カッター６４ａと固定カッター６４ｂとの間に台紙レスラベルＬＳが挟み込まれ、台紙レスラベルＬＳからラベル片ＬＰが切り離される。なお、カッター機構６４によって台紙レスラベルＬＳから切り離されたラベル片ＬＰは、発行口ＯＰから発行され、包装ユニット３０により包装された商品に貼り付けられる。
【００３６】
（２−１−５）ラベル検知センサ
ラベル検知センサ６５は、光電センサである。ラベル検知センサ６５は、下流方向に搬送される台紙レスラベルＬＳに光を照射し、台紙レスラベルＬＳが反射する光を受光することで、台紙レスラベルＬＳの有無を確認する。
【００３７】
（２−２）制御ユニット
制御ユニット８０は、包装システム１００の有する各構成と接続され、各構成との間で信号の送受信を行う。制御ユニット８０は、上述したように、計量搬入ユニット２０、包装ユニット３０、およびラベル発行ユニット６０を制御する。
【００３８】
制御ユニット８０は、図２に示すように、主として、タッチパネル８１と、操作盤８２と、記憶部８３と、制御部８４とを有する。
【００３９】
（２−２−１）タッチパネル
タッチパネル８１は、表示部および入力部として機能する液晶ディスプレイである。タッチパネル８１には、包装システム１００に関する各種情報が表示される。例えば、タッチパネル８１には、包装システム１００で現在包装が行われている商品に関する情報が表示される。また、タッチパネル８１には、ユーザが各種情報や各種指令の入力に用いるための操作画面が表示される。
【００４０】
（２−２−２）操作盤
操作盤８２は、各種スイッチを有し、ユーザから、各種情報や各種指令を受け付ける入力部として機能する。
【００４１】
（２−２−３）記憶部
記憶部８３は、ＲＯＭ，ＲＡＭ，ハードディスク等から構成されている。記憶部８３は、包装システム１００の制御に必要な各種プログラムおよび各種情報を記憶する。
【００４２】
また、記憶部８３は、台紙ラベルＬＳに商品情報を印字する際に必要な各種情報を記憶する。具体的には、記憶部８３は、台紙ラベルＬＳに商品情報を印字する際に必要な情報を記憶する記憶領域として、項目記憶領域８３ａと、商品マスタ記憶領域８３ｂと、フォーマット記憶領域８３ｃと、印字位置記憶領域８３ｄと、基本画像記憶領域８３ｅと、印字画像記憶領域８３ｆと、を主に有する。
【００４３】
（２−２−３−１）項目記憶領域
項目記憶領域８３ａには、台紙ラベルＬＳに印字される項目印字群の文字列が記憶される。例えば、項目記憶領域８３ａには、図４で項目印字群として印字されている“名称”、“原材料名”、“内容量”、“消費期限”、“保存方法”、および“製造者”といった文字列が記憶される。
【００４４】
（２−２−３−２）商品マスタ記憶領域
商品マスタ記憶領域８３ｂには、包装システム１００で包装される各商品別に、項目記憶領域８３ａに記憶されている項目（ここでは、名称、原材料名、内容量、消費期限、保存方法、および製造者）について、その項目に対応する内容の文字列が記憶される（図５参照）。言い換えれば、商品マスタ記憶領域８３ｂには、台紙ラベルＬＳに印字される内容印字群の文字列が記憶される。例えば、商品マスタ記憶領域８３ｂには、図４で内容印字群として印字されている“豚ロース・・・”、“豚肉・・・”、“２００ｇ”、“２５．９．３０”、“保存温度・・・”、および“滋賀県・・・” といった文字列が記憶される（図５参照）。商品マスタ記憶領域８３ｂに記憶される内容は、外部から入力される情報（例えば、タッチパネル８１または操作盤８２から入力された情報や、計量搬入ユニット２０から送信されてくる情報）を基に、商品別に生成され、商品別に商品マスタ記憶領域８３ｂに記憶される。
【００４５】
（２−２−３−３）フォーマット記憶領域
フォーマット記憶領域８３ｃには、台紙レスラベルＬＳに商品情報を印字する際に使用されるフォーマットが記憶されている。フォーマット記憶領域８３ｃには、例えば、図６に示すような罫線枠に関する情報が記憶されている。
【００４６】
以下に、図６を用いて、フォーマットについて説明する。フォーマットに含まれる罫線枠には、図６のように、メイン罫線枠ＭＦと、サブ罫線枠群ＳＦとがある。メイン罫線枠ＭＦは、最外に配置された罫線枠で、外枠を構成する。サブ罫線枠群ＳＦは、メイン罫線枠ＭＦを分割することで形成されている。サブ罫線枠群ＳＦは、メイン罫線枠ＭＦ内の左側に配置される項目印字用サブ罫線枠群ＳＦ１と、メイン罫線枠ＭＦ内の右側に配置される内容印字用サブ罫線枠群ＳＦ２とを有する。
【００４７】
さらに、メイン罫線枠ＭＦは、上下に複数段に、特に本実施形態では６段に分割されている。言い換えれば、項目印字用サブ罫線枠群ＳＦ１および内容印字用サブ罫線枠群ＳＦ２は、それぞれ上下に６段に分割されている。項目印字用サブ罫線枠群ＳＦ１は、項目印字用サブ罫線枠ＳＦ１−１〜６から構成される（図６参照）。内容印字用サブ罫線枠群ＳＦ２は、内容印字用サブ罫線枠ＳＦ２−１〜６から構成される（図６参照）。なお、項目印字用サブ罫線枠群ＳＦ１および内容印字用サブ罫線枠群ＳＦ２は、図６のように、上下方向に同じ位置で６段に分割されている。
【００４８】
フォーマット記憶領域８３ｃには、罫線枠に関するフォーマットとして、メイン罫線枠ＭＦおよび各サブ罫線枠ＳＦを構成する罫線の位置に関する情報が記憶されている。具体的には、フォーマット記憶領域８３ｃには、メイン罫線枠ＭＦの、左右に配置される罫線の横方向の位置、上下に配置される罫線の縦方向（高さ方向）の位置が記憶されている。言い換えれば、フォーマット記憶領域８３ｃには、メイン罫線枠ＭＦの左右の幅に関する情報、上下の高さに関する情報が記憶されている。また、フォーマット記憶領域８３ｃには、項目印字用サブ罫線枠ＳＦ１−１〜６および内容印字用サブ罫線枠ＳＦ２−１〜６のそれぞれについて、左右に配置される罫線の横方向の位置、上下に配置される罫線の縦方向（高さ方向）の位置が記憶されている。言い換えれば、フォーマット記憶領域８３ｃには、項目印字用サブ罫線枠ＳＦ１−１〜６および内容印字用サブ罫線枠ＳＦ２−１〜６のそれぞれについて、左右の幅に関する情報および上下の高さに関する情報が記憶されている。なお、項目印字用サブ罫線枠群ＳＦ１および内容印字用サブ罫線枠群ＳＦ２は、上記のように上下方向に同じ位置で分割されている。そのため、フォーマット記憶領域８３ｃには、同一段の、項目印字用サブ罫線枠ＳＦ１−１〜６および内容印字用サブ罫線枠ＳＦ２−１〜６の上下の罫線の位置情報として同じ情報が記憶されている。
【００４９】
なお、ここでは、説明上、フォーマット記憶領域８３ｃに記憶されているフォーマット（罫線枠）を図６のように視覚的に表したが、フォーマット記憶領域８３ｃには、図６に示すような罫線枠を印字するための画像データが実際には記憶されている。フォーマットの画像データは、フォーマットを印字するために、どの位置で印字を行うかを示すバイナリデータであり、罫線が印字される部分は“１”で、罫線が印字されない部分は“０”で表現されている。
【００５０】
（２−２−３−４）印字位置記憶領域
印字位置記憶領域８３ｄには、各サブ罫線枠ＳＦ１−１〜６，ＳＦ２−１〜６内にどの印字群を配置するかが記憶される。具体的には、印字位置記憶領域８３ｄには、項目記憶領域８３ａに記憶された各項目が、どの項目印字用サブ罫線枠ＳＦ１−１〜６内に配置されるかが記憶される。また、印字位置記憶領域８３ｄには、各内容印字用サブ罫線枠ＳＦ２−１〜６内に、項目記憶領域８３ａに記憶された各項目のうち、どの項目に対応する内容が配置されるかが記憶される。
【００５１】
例えば、印字位置記憶領域８３ｄには、各項目印字用サブ罫線枠ＳＦ１−１〜６内に、名称、原材料名、内容量、消費期限、保存方法、および製造者という項目が、印字群としてそれぞれ配置されることが記憶される。また、印字位置記憶領域８３ｄには、各内容印字用サブ罫線枠ＳＦ２−１〜６内に、名称、原材料名、内容量、消費期限、保存方法、および製造者に対応する内容が、印字群としてそれぞれ配置されることが記憶される。
【００５２】
（２−２−３−５）基本画像記憶領域
基本画像記憶領域８３ｅには、フォーマット記憶領域８３ｃに記憶されたフォーマットの各サブ罫線枠ＳＦ１−１〜６，ＳＦ２−１〜６に、印字されるべき印字群が配置された基本画像（図７参照）が、包装システム１００で取り扱われる個別の商品毎に記憶される。つまり、基本画像記憶領域８３ｅには、各サブ罫線枠ＳＦ１−１〜６，ＳＦ２−１〜６に、印字位置記憶領域８３ｄに記憶された情報に応じて適切な項目印字群および内容印字群が配置された基本画像が、包装システム１００で取り扱われる個別の商品毎に記憶される。基本画像は、後述する印字画像を生成するために用いられる画像であり、実際に台紙レスラベルＬＳに印字される画像とは異なる。
【００５３】
なお、ここでは、説明上、基本画像記憶領域８３ｅに記憶されている情報を、図７のような基本画像として視覚的に表しているが、実際には、基本画像記憶領域８３ｅには、図７に示すような基本画像を印字するための画像データが記憶されている。
【００５４】
（２−２−３−６）印字画像記憶領域
印字画像記憶領域８３ｆには、基本画像記憶領域８３ｅに記憶された基本画像を基に生成された、台紙レスラベルＬＳに実際に印字される印字画像が、包装システム１００で取り扱われる個別の商品毎に記憶される。例えば、印字画像記憶領域８３ｆには、図４のような印字画像が、包装システム１００で取り扱われる個別の商品毎に記憶される。印字画像が、基本画像を基にどのように生成されるかについては後述する。
【００５５】
なお、ここでは、説明上、基本画像記憶領域８３ｅに記憶されている情報を、図４のような印字画像として視覚的に表しているが、実際には、基本画像記憶領域８３ｅには、図４に示すような印字画像を印字するための画像データが記憶されている。
【００５６】
（２−２−４）制御部
制御部８４は、主として、ＣＰＵから構成されている。制御部８４は、記憶部８３に記憶されている各種プログラムを読み出して実行する。
【００５７】
例えば、制御部８４は、計量搬入ユニット２０を制御することで、トレー等の容器に入った商品を包装システム１００の内部に搬入すると共に、その商品の重量を計量し、包装ユニット３０へと搬送する。また、制御部８４は、包装ユニット３０を制御することで、トレー等の容器に入れられた商品をフィルムで包装する。また、制御部８４は、ラベル発行ユニット６０を制御することで、包装された商品別に生成された印字画像（印字画像記憶領域８３ｆに記憶された印字画像）を台紙レスラベルＬＳに印字し、ラベル片ＬＰとして発行する。
【００５８】
ここでは、制御部８４の機能のうち、特に、台紙レスラベルＬＳに印字するための画像を生成する機能について説明する。制御部８４は、台紙レスラベルＬＳに印字する画像を生成する機能に関連して、主として、把握部８４ａ、基本画像生成部８４ｂ、および印字画像生成部８４ｃを機能部として有する（図２参照）。
【００５９】
（２−２−４−１）把握部
把握部８４ａは、各項目印字用サブ罫線枠ＳＦ１―１〜６内に配置される項目印字群の領域高さと、各内容印字用サブ罫線枠ＳＦ２―１〜６内に配置される内容印字群の領域高さとを、包装システム１００で取り扱われる個別の商品毎に把握する。なお、項目印字群の領域高さ、および、内容印字群の領域高さとは、各サブ罫線枠ＳＦ１―１〜６，ＳＦ２−１〜６に、対応する印字群がそれぞれ配置されたときの、その印字群の縦方向の幅（上下方向の高さ）である。なお、各印字群の領域高さには、実際に文字（記号等も含む）が印字される部分の高さだけではなく、印字された文字と文字、あるいは、印字された文字と罫線とが重なることなく読みやすく配置されるために必要なスペースの高さも含まれる。例えば、図４のような画像が台紙レスラベルＬＳに印字される場合、“原材料名”という項目印字群の領域高さはＢ１で表される。また、原材料名に対応する内容に関する内容印字群（“豚肉・・・”）の領域高さはＢ２で表される。
【００６０】
把握部８４ａによる、項目印字群の領域高さおよび内容印字群の領域高さの把握のための処理については後述する。
【００６１】
（２−２−４−２）基本画像生成部
基本画像生成部８４ｂは、包装システム１００で取り扱われる個別の商品毎に、その商品に関する各印字群を、フォーマット記憶領域８３ｃに記憶されたフォーマットに配置した場合の基本画像を生成し、基本画像記憶領域８３ｅに記憶する。基本画像生成部８４ｂは、以下のようにして基本画像を生成する。
【００６２】
基本画像生成部８４ｂは、基本画像を生成する際に、フォーマット記憶領域８３ｃから、フォーマット（罫線枠）を読み出す。さらに、基本画像生成部８４ｂは、項目記憶領域８３ａ、商品マスタ記憶領域８３ｂ、および印字位置記憶領域８３ｄを参照して、ある商品について、フォーマットの各サブ罫線枠ＳＦ１−１〜６，ＳＦ２−１〜６に配置されるべき印字群を配置した基本画像を生成する。
【００６３】
なお、実際に基本画像生成部８４ｂにより生成されるのは、基本画像の画像データである。基本画像の画像データは、基本画像を印字するために、どの位置で印字を行うかを示すバイナリデータであり、罫線または印字群が印字される部分は“１”で、罫線および印字群が印字されない部分は“０”で表現されている。
【００６４】
（２−２−４−３）印字画像生成部
印字画像生成部８４ｃは、上下罫線位置決定部の一例である。
【００６５】
印字画像生成部８４ｃは、基本画像記憶領域８３ｅに記憶された基本画像（図７参照）と、把握部８４ａに把握された各項目印字群の領域高さおよび各内容印字群の領域高さと、を用いて、ある商品の商品情報を台紙レスラベルＬＳに実際に印字する際に用いられる印字画像（図４参照）を生成する。
【００６６】
具体的には、印字画像生成部８４ｃは、各項目印字群の領域高さおよび各内容印字群の領域高さを基に、印字画像のメイン罫線枠ＭＬの上下の罫線の高さ位置を決定する。また、印字画像生成部８４ｃは、各項目印字群の領域高さおよび各内容印字群の領域高さを基に、印字画像の各サブ罫線枠ＳＦ１−１〜６，ＳＦ２−１〜６の上下に配置される罫線（以下、サブ上罫線およびサブ下罫線と呼ぶ）の高さ位置を決定する。さらに、印字画像生成部８４ｃは、メイン罫線枠ＭＬの上下の罫線の高さ位置、および、各サブ罫線枠ＳＦ１−１〜６，ＳＦ２−１〜６の、サブ上罫線およびサブ下罫線の高さ位置に応じて、各印字群の印字位置を決定する。印字画像生成部８４ｃにより実行される具体的な処理については後述する。
【００６７】
なお、実際に印字画像生成部８４ｃにより生成されるのは、印字画像の画像データである。印字画像の画像データは、印字画像を印字するために、どの位置で印字を行うかを示すバイナリデータであり、罫線または印字群が印字される部分は“１”で、罫線および印字群が印字されない部分は“０”で表現されている。
【００６８】
（３）制御ユニットの制御部による印字画像の生成に関する処理
（３−１）把握部による印字群の領域高さの把握処理
把握部８４ａによる、項目印字群の領域高さおよび内容印字群の領域高さの把握処理について、図８のフローチャートを用いて説明する。把握部８４ａは、フォーマット記憶領域８３ｃに記憶されるフォーマットに、ある商品の商品情報を印字する場合について、項目印字群の領域高さおよび内容印字群の領域高さを把握する。
【００６９】
以下に、把握部８４ａにより実行される、項目印字群の領域高さおよび内容印字群の領域高さの把握処理について説明する。
【００７０】
まず、ステップＳ１０１では、把握部８４ａは、ある商品について、基本画像記憶領域８３ｅから基本画像を読み出す。その後、ステップＳ１０２に進む。
【００７１】
ステップＳ１０２では、把握部８４ａは、各サブ罫線枠ＳＦ１−１〜６，ＳＦ２−１〜６内に配置される、各印字群の領域高さを把握する。具体例を挙げて説明する。
【００７２】
例えば、ある印字群が３５文字からなり、その印字群が印字されるサブ罫線枠（サブ罫線枠ＳＦ１−１〜６およびＳＦ２−１〜６のいずれか）の幅が、１０文字分に相当する幅であったとする。この場合、把握部８４ａは、印字群の文字高さの４倍と、印字される文字と文字、あるいは、印字される文字と罫線とが重なることなく読みやすく配置するために必要なスペースと、を加算することで、印字群の領域高さを把握する。なお、印字される文字と文字、あるいは、印字される文字と罫線とが重なることなく読みやすく配置するために必要なスペースについては、記憶部８３にデフォルト値が予め記憶されている。ただし、これに限定されるものではなく、必要なスペースに関する数値は、タッチパネル８１または操作盤８２から入力可能に構成されてもよい。
【００７３】
（３−２）印字画像生成部による印字画像の生成処理
印字画像生成部８４ｃによる、ある商品の商品情報を印字する際に実際に印字される印字画像（例えば、図４および図１０参照）の生成処理について、図９のフローチャートを用いて説明する。
【００７４】
印字画像生成部８４ｃは、まず、把握部８４ａが把握した各印字群の領域高さを用いて、各サブ罫線枠ＳＦ１−１〜６，ＳＦ２−１〜６の、サブ上罫線およびサブ下罫線の高さ位置を決定する。なお、フォーマットの中で同じ段に位置する、項目印字用サブ罫線枠ＳＦ１−１〜６と、内容印字用サブ罫線枠ＳＦ２−１〜６とは（例えば、１段目の、項目印字用サブ罫線枠ＳＦ１−１と内容印字用サブ罫線枠ＳＦ２−１とは）、サブ上罫線およびサブ下罫線の高さ位置が共通する（図４参照）。そのため、同じ段に位置する、項目印字用サブ罫線枠ＳＦ１−１〜６のサブ上罫線と、内容印字用サブ罫線枠ＳＦ２−１〜６のサブ上罫線とは、一直線上に配される。また、同じ段に位置する、項目印字用サブ罫線枠ＳＦ１−１〜６のサブ下罫線と、内容印字用サブ罫線枠ＳＦ２−１〜６のサブ下罫線とは、一直線上に配される。
【００７５】
印字画像生成部８４ｃは、各サブ罫線枠ＳＦ１−１〜６，ＳＦ２−１〜６の、サブ上罫線およびサブ下罫線の高さ位置を決定するため、ステップＳ２０１で、項目印字用サブ罫線枠ＳＦ１−１〜６に配置される項目印字群の領域高さと、内容印字用サブ罫線枠ＳＦ２−１〜６に配置される内容印字群の領域高さとを、各段別に比較する。そして、印字画像生成部８４ｃは、項目印字群の領域高さおよび内容印字群の領域高さのうち、大きい方の値を各段別に選択する。
【００７６】
次に、ステップＳ２０２では、印字画像生成部８４ｃは、ステップＳ２０１で選択された値を用いて、印字画像における、各段のサブ上罫線とサブ下罫線との間の高さを決定する。具体的には、印字画像生成部８４ｃは、ステップＳ２０１で選択された各段別の値と、各段のサブ上罫線とサブ下罫線との間の高さとが等しくなるように、各段のサブ上罫線およびサブ下罫線の高さ位置を決定する。
【００７７】
例えば、図４の２段目のように、内容印字群の領域高さＢ２が、項目印字群の領域高さＢ１より大きい場合には、サブ上罫線とサブ下罫線との間の高さが、内容印字群の領域高さＢ２と等しくなるように、サブ上罫線およびサブ下罫線の高さ位置が決定される。また、例えば、図１０の２段目のように、項目印字群の領域高さＣ１が、内容印字群の領域高さＣ２より大きい場合には、サブ上罫線とサブ下罫線との間の高さが、項目印字群の領域高さＣ１と等しくなるように、サブ上罫線およびサブ下罫線の高さ位置が決定される。
【００７８】
なお、ステップＳ２０２では、印字画像生成部８４ｃは、印字画像における各段のサブ上罫線およびサブ下罫線の高さ位置を、１段目から順に（印字画像の上側から順に）決定する。印字画像生成部８４ｃは、ある段のサブ上罫線およびサブ下罫線の間の高さを、フォーマット記憶領域８３ｃに記憶されたフォーマットから変更する場合には、その段の、項目印字用サブ罫線枠ＳＦ１−１〜６と内容印字用サブ罫線枠ＳＦ２−１〜６とを隔てる縦罫線の長さを変更する。また、印字画像生成部８４ｃは、ある段のサブ上罫線およびサブ下罫線の高さ位置を変更した場合には、必要に応じて、印字群の高さ位置や、他の段のサブ上罫線およびサブ下罫線の高さ位置を変更する。
【００７９】
例えば、印字画像生成部８４ｃが、図７のような基本画像に対し、２段目のサブ下罫線の高さ位置を上方に移動させた場合（項目印字用サブ罫線枠ＳＦ１−２および内容印字用サブ罫線枠ＳＦ２−２に共通のサブ下罫線の高さ位置を上方に移動させた場合）、３段目以降のサブ上罫線およびサブ下罫線の高さ位置も、２段目のサブ下罫線を移動させた距離と同じ距離だけ上方に移動させる（図４参照）。また、印字画像生成部８４ｃは、図７のような基本画像に対し、２段目のサブ下罫線の高さ位置を上方に移動させた場合、２段目の項目印字用サブ罫線枠ＳＦ１−２および内容印字用サブ罫線枠ＳＦ２−２を隔てる上下に伸びる縦罫線の長さを、２段目のサブ下罫線を情報に移動させた距離だけ短くする（図４参照）。また、印字画像生成部８４ｃは、図７のような基本画像に対し、２段目のサブ下罫線の高さ位置を上方に移動させた場合、３段目以降のサブ罫線枠ＳＦ１−３〜６，ＳＦ２−３〜６内の印字群の高さ位置を、２段目のサブ下罫線を移動させた距離と同じ距離だけ上方に移動させる（図４参照）。
【００８０】
さらに、印字画像生成部８４ｃは、ステップＳ２０３およびステップＳ２０４で、印字画像のメイン罫線枠ＭＦの、上罫線および下罫線の高さ位置を決定する。
【００８１】
まず、ステップＳ２０３では、印字画像生成部８４ｃは、ステップＳ２０１で各段別に選択された、項目印字群の領域高さおよび内容印字群の領域高さのうち大きい方の値を全て合計する。その後、ステップＳ２０４に進む。
【００８２】
ステップＳ２０４では、印字画像生成部８４ｃは、ステップＳ２０３で選択された合計値を、メイン罫線枠ＭＦの上罫線と下罫線との間の高さとして決定する。つまり、印字画像生成部８４ｃは、ステップＳ２０３で算出された合計値と、メイン罫線枠ＭＦの上罫線と下罫線との間の高さとが等しくなるように、メイン罫線枠ＭＦの上罫線と下罫線との高さ位置を決定する。その後ステップＳ２０５に進む。
【００８３】
ステップＳ２０５では、印字画像生成部８４ｃは、ステップＳ２０４で決定したメイン罫線枠ＭＦの上罫線と下罫線との高さ位置を用いて、メイン罫線枠ＭＦの左右の縦罫線の長さが、メイン罫線枠ＭＦの上罫線と下罫線との間の距離に等しくなるように、左右の縦罫線の長さを調整する。
【００８４】
このようにして、印字画像が生成される。生成された印字画像は、印字画像記憶領域８３ｆに記憶される。
【００８５】
なお、印字画像生成部８４ｃが、基本画像を基に印字画像を生成する際に、印字画像中のメイン罫線枠ＭＦの上下の罫線の間の高さが、基本画像中のメイン罫線枠ＭＦの上下の罫線の間の高さよりも大きくなることはない。また、印字画像生成部８４ｃが、基本画像を基に印字画像を生成する際に、印字画像中の各サブ罫線枠ＳＦ１―１〜６，ＳＦ２−１〜６のサブ上罫線とサブ下罫線との間の高さが、基本画像中の、対応するサブ罫線枠ＳＦ１―１〜６，ＳＦ２−１〜６のサブ上罫線とサブ下罫線との間の高さよりも大きくなることはない。フォーマット記憶領域８３ｃに記憶されるフォーマットの、メイン罫線枠ＭＦおよびサブ罫線枠ＳＦ１―１〜６，ＳＦ２−１〜６のサイズは、包装システム１００が取り扱う全ての商品について、項目印字群および内容印字群が、対応するサブ罫線枠ＳＦ１―１〜６，ＳＦ２−１〜６に収まるように決定されている。
【００８６】
（４）特徴
（４−１）
本実施形態に係るラベル印字装置１０は、台紙レスラベルＬＳに所定の商品情報を印字してラベル片ＬＰを生成する装置である。本実施形態に係るラベル印字装置１０は、左側に配置される項目印字用サブ罫線枠ＳＦ１―１〜６と、右側に配置される内容印字用サブ罫線枠ＳＦ２―１〜６とに分割されたメイン罫線枠ＭＦをフォーマットに用いる。本実施形態に係るラベル印字装置１０は、項目印字用サブ罫線枠ＳＦ１―１〜６内に配置される項目に関する項目印字群と、内容印字用サブ罫線枠ＳＦ２―１〜６内に配置される項目に対応する内容に関する内容印字群とを、商品情報として印字する。本実施形態に係るラベル印字装置１０は、把握部８４ａと、上下罫線位置決定部の一例としての印字画像生成部８４ｃと、を備える。把握部８４ａは、項目印字群の領域高さおよび内容印字群の領域高さを把握する。印字画像生成部８４ｃは、項目印字群の領域高さおよび内容印字群の領域高さを用いて、メイン罫線枠ＭＦの上罫線および下罫線の高さ位置を決定する。
【００８７】
ここでは、左右に分割されたメイン罫線枠ＭＦがフォーマットに使用され、左側に配置された項目印字用サブ罫線枠ＳＦ１―１〜６内に項目が、右側に配置された内容印字用サブ罫線枠ＳＦ２―１〜６内にその項目に対応する内容が、それぞれ印字される場合に、メイン罫線枠ＭＦの上罫線および下罫線の位置が、項目に関する印字群の領域高さと、内容に関する印字群の領域高さと、に基づいて決定される。これにより、罫線で囲まれたフォーマットを用いて台紙レスラベルＬＳに印字する場合であっても、罫線の存在に関わらず不要な空白部分（罫線のみが存在する部分）を削除することができ、台紙レスラベルＬＳの使用量の抑制を図ることが可能である。
【００８８】
（４−２）
本実施形態に係るラベル印字装置１０では、項目には原材料名を含む。
【００８９】
ここでは、原材料名のように、ラベル片ＬＰの作成対象の商品によって内容印字用サブ罫線枠内の記載量が変化する場合であっても、罫線の存在にかかわらず不要な空白部分（罫線のみが存在する部分）を削除して商品情報を印字でき、台紙レスラベルＬＳの使用量の抑制を図ることができる。
【００９０】
（４−３）
本実施形態に係るラベル印字装置１０では、メイン罫線枠ＭＦが上下に複数段に分割したフォーマットが用いられる。本実施形態に係るラベル印字装置１０は、各段の項目印字用サブ罫線枠ＳＦ１―１〜６内および内容印字用サブ罫線枠ＳＦ２―１〜６内に、それぞれ、各段別の項目印字群および内容印字群を印字する。印字画像生成部８４ｃは、各段別に項目印字群の領域高さおよび内容印字群の領域高さのうち大きい方を選択し、選択した値を合計して合計値を算出する。そして、印字画像生成部８４ｃは、上罫線と下罫線の間の高さと、算出した合計値とが等しくなるように、メイン罫線枠ＭＦの上罫線および下罫線の高さ位置を決定する。
【００９１】
ここでは、メイン罫線枠ＭＦが複数段に分割されたフォーマットが使用される場合であっても、上罫線および下罫線の高さ位置を適切に決定し、台紙レスラベルＬＳの使用量の抑制を図ることが可能である。
【００９２】
（４−４）
本実施形態に係るラベル印字装置１０では、印字画像生成部８４ｃは、各段の、項目印字用サブ罫線枠ＳＦ１―１〜６および内容印字用サブ罫線枠ＳＦ２―１〜６に共通のサブ上罫線およびサブ下罫線の高さ位置を決定する。印字画像生成部８４ｃは、各段のサブ上罫線とサブ下罫線との間の高さが、各段の項目印字群の領域高さおよび内容印字群の領域高さのうち大きい方と等しくなるように、各段のサブ上罫線およびサブ下罫線の高さ位置を決定する。
【００９３】
ここでは、メイン罫線枠ＭＦの上罫線および下罫線の高さ位置だけではなく、項目印字用サブ罫線枠ＳＦ１―１〜６および内容印字用サブ罫線枠ＳＦ２―１〜６のサブ上罫線およびサブ下罫線の高さ位置も決定されるため、台紙レスラベルＬＳの使用量の抑制を図るとともに、ラベル片ＬＰに商品情報を見やすく印字することが可能である。
【００９４】
（５）変形例
以下に本実施形態の変形例について説明する。なお、矛盾しない範囲で、複数の変形例が組み合わされてもよい。
【００９５】
（５−１）変形例Ａ
上記実施形態に係るラベル印字装置１０では、商品情報を印字する際に、メイン罫線枠ＭＦが左右に分割され、更に６段に分割されたフォーマットが用いられるが、これに限定されるものではない。例えば、ラベル印字装置１０は、商品情報を印字する際に、メイン罫線枠が左右にのみ分割されたフォーマット（１段だけのフォーマット）を用いるものであってもよい。この場合、印字画像の生成処理として、図１０におけるステップＳ２０１およびステップＳ２０２だけが行われてもよい（ただし、この場合には、ステップＳ２０１およびステップＳ２０２で、メイン罫線枠の上罫線および下罫線の高さ位置が決定される）。また、ラベル印字装置１０は、商品情報を印字する際に、メイン罫線枠ＭＦが左右に分割され、更に２〜５段または７段以上に分割されたフォーマットを用いるものであってもよい。
【００９６】
（５−２）変形例Ｂ
上記実施形態に係るラベル印字装置１０では、項目として、名称、原材料名、内容量、消費期限、保存方法、および製造者が使用され、この項目に対応する内容が台紙レスラベルＬＳに印字されるが、これに限定されるものではない。ラベル印字装置１０では、上記の項目に加えて、または、上記の項目に代えて、例えば、加工日、店名、価格などの項目が使用されてもよく、この項目に対応する内容が台紙レスラベルＬＳに印字されてもよい。
【００９７】
（５−３）変形例Ｃ
上記実施形態に係るラベル印字装置１０は、包装システム１００に組み込まれているが、これに限定されるものではなく、ラベル印字装置１０が単独で機能する構成であってもよい。
【００９８】
（５−４）変形例Ｄ
上記実施形態に係るラベル印字装置１０では、各商品に対し、個別に印字画像を生成するものとしたが、これに限定されるものではない。例えば、商品によって印字画像が変わらない場合には（同一の商品情報が連続して印字される場合には）、一度生成された印字画像が繰り返し使用されてもよい。
【００９９】
（５−５）変形例Ｅ
上記実施形態に係るラベル印字装置１０では、印字画像生成部８４ｃが、全ての段について、項目印字用サブ罫線枠ＳＦ１―１〜６および内容印字用サブ罫線枠ＳＦ２―１〜６のサブ上罫線およびサブ下罫線の高さ位置を決定したが、これに限定されるものではない。例えば、印字画像生成部８４ｃは、項目印字群および内容印字群の領域高さが変化しない段の、項目印字用サブ罫線枠ＳＦ１―１〜６および内容印字用サブ罫線枠ＳＦ２―１〜６のサブ上罫線およびサブ下罫線の高さ位置については固定値としてもよい。そして、項目印字群および内容印字群の領域高さが変化しない段のサブ上罫線およびサブ下罫線の高さ位置は、項目印字群および内容印字群の領域高さが変化する他の段のサブ上罫線およびサブ下罫線の高さ位置の変化に応じて、上下に変化するよう構成されてもよい。
【０１００】
（６）他の実施例
上記の実施形態に係るラベル印字装置１０に代えて、以下に示すようなラベル印字装置３１０を用いることで、罫線枠で囲まれた文字列を台紙レスラベルＬＳに印字する場合であっても、不要な空白部分（罫線のみが存在する部分）を削除することができ、台紙レスラベルＬＳの使用量の抑制を図ることが可能である。なお、下記のラベル印字装置３１０は例示であり、発明の趣旨と矛盾しない範囲で、その他の態様も採用可能である。
【０１０１】
ラベル印字装置３１０は、包装システム３００に組み込まれて使用される。図１１は、包装システム３００のブロック図である。図１１に示された包装システム３００の構成のうち、図２の包装システム１００と同一の符号を付した部分については同様の構成であるため、ここでは説明を省略する。ここでは、上記の実施形態のラベル印字装置１０からの主な変更部分である制御ユニット３８０についてのみ説明する。
【０１０２】
制御ユニット３８０は、計量搬入ユニット２０、包装ユニット３０、およびラベル発行ユニット６０を制御する。制御ユニット３８０は、図１１に示すように、主として、タッチパネル８１と、操作盤８２と、記憶部８３と、制御部３８４とを有する。ここでは、上記実施形態の制御ユニット８０と相違する、制御部３８４についてのみ説明する。
【０１０３】
制御部３８４は、制御ユニット８０の制御部８４と、把握部８４ａおよび印字画像生成部８４ｃを機能部として有しない点と、印字画像生成部３８４ｃを機能部として有する点と、が主に異なる。
【０１０４】
印字画像生成部３８４ｃは、図７のような基本画像から、罫線枠内の空白部分（印字群が存在しない部分）を削除することで、図４のような印字画像を生成する。印字画像生成部３８４ｃによる印字画像の生成方法について説明する。
【０１０５】
印字画像生成部３８４ｃは、基本画像記憶領域８３ｅに記憶された基本画像の画像データ（バイナリデータ）を用いて印字画像を生成する。印字画像生成部３８４ｃは、基本画像記憶領域８３ｅに記憶された基本画像の画像データから、罫線のみしか存在しない部分（図１２のＨ１の部分のように罫線は存在するが、印字群が存在しない部分）を、画像データのライン毎に把握する。
【０１０６】
なお、ラベル発行ユニット６０のサーマルヘッド６２は、前述のように、直線状に配列された微小発熱体を有する。サーマルヘッド６２は、台紙レスラベルＬＳがサーマルヘッド６２の下方を通過する際に、直線状に配列された微小発熱体のうち、印字させたい部分の微小発熱体だけを発熱させることで、一列分ずつ印字を行っていく。上記の画像データのライン毎とは、この一列分の画像データ毎ということを意味する。
【０１０７】
基本データの画像データは、印字画像を印字するために、どの位置で印字を行うかを示すバイナリデータであり、罫線または印字群が印字される部分は“１”で、罫線および印字群が印字されない部分は“０”で表現されている。印字画像生成部３８４ｃが、画像データをライン毎に把握する時に、全て“０”のビットで構成されているラインを見つけたとする。全て“０”のビットで構成されているラインは、何も印字しないことを意味するため、印字画像生成部３８４ｃは、このラインを、商品情報を印字する上で不要なラインと容易に判断することができる。しかし、罫線で縁取りされたラベル片ＬＰを印刷する場合には、あるラインに印字群が存在しなかったとしても、罫線は存在するため、全てのビットが“０”となるラインは基本的には存在せず、罫線枠内の空白部分（印字群が存在しない部分）を認識することが容易ではない。
【０１０８】
そこで、本実施例では、印字画像生成部３８４ｃは、罫線のみしか存在しないラインを見つけるために、基本画像の画像データの中で、同一パターンの画像データを有するラインが繰り返し登場する部分があるか否かを把握する。印字画像生成部３８４ｃは、例えば、あるラインの画像データが“００１１００００”であって、その次のラインの画像データも“００１１００００”である場合には、同一パターンの画像データを有するラインが繰り返し登場していると判断する。また、例えば、印字画像生成部３８４ｃは、あるラインの画像データが“００１１００００”であって、その次のラインの画像データが“００１１０１００”である場合には、同一パターンの画像データを有するラインが繰り返し登場していないと判断する。
【０１０９】
そして、画像データの中に、同一パターンの画像データを有するラインが繰り返し登場する部分（つまり、画像が変化していない部分）があった場合には、印字画像生成部３８４ｃは、この部分を罫線のみが存在する部分と判断する。そして、罫線のみが存在すると判断したラインの画像データを、基本画像記憶領域８３ｅに記憶された基本画像の画像データから削除する。このような処理を行うことで、印字画像の画像データを生成する。生成された印字画像の画像データは、印字画像記憶領域８３ｆに記憶される。
【０１１０】
なお、印字画像生成部３８４ｃが、罫線のみが存在するラインを把握する方法は、上記の方法に限定されるものではない。例えば、印字画像生成部３８４ｃは、基本画像の画像データ中のあるラインのバイナリデータと、その次のラインのバイナリデータと、の間で排他論理和をとり、全てのビットが“０”となる場合には、そのラインを罫線のみが存在する部分と判断してもよい。例えば、あるラインの画像データが“００１１００００”であって、その次のラインの画像データも“００１１００００”である場合には、排他論理和は“００００００００”となるので、印字画像生成部３８４ｃは、これらのラインが罫線のみが存在する部分と判断する。また、例えば、あるラインの画像データが“００１１００００”であって、その次のラインの画像データが“００１１０１００”である場合には、排他論理和は、“０００００１００”となり、全てのビットがが“０”とはならないので、印字画像生成部３８４ｃは、このラインを罫線のみが存在する部分とは判断しない。
【０１１１】
また、印字画像生成部３８４ｃは、次のような方法で罫線のみが存在する部分の把握および削除を行ってもよい。印字画像生成部３８４ｃは、罫線枠の中に印字群が配置された基本画像の画像データに加え、罫線枠だけの画像データ（フォーマットの画像データ）を準備し、両画像データの間で排他論理和をとる。その結果、全てのビットが“０”となるラインが存在する場合には、そのラインを罫線のみが存在する部分と判断し、基本画像記憶領域８３ｅに記憶された基本画像の画像データから、そのラインに対応する部分だけを削除してもよい。このような方法を用いることで、基本画像の画像データから、罫線のみが存在する部分だけを削除した、印字画像の画像データを生成することが容易である。
【０１１２】
また、印字画像生成部３８４ｃは、次のような方法で罫線のみが存在する部分の把握および削除を行ってもよい。印字画像生成部３８４ｃは、印字群のみの画像データと、罫線枠（フォーマット）だけの画像データと、を準備する。そして、印字画像生成部３８４ｃは、印字群のみの画像データについて、全てのビットが“０”となるラインが存在する場合には、そのラインを、印字群のみの画像データと罫線枠だけの画像データとを合成したときに、罫線のみが存在するライン（余白ライン）と判断する。そして、印字画像生成部３８４ｃは、印字群のみの画像データと、罫線枠だけの画像データとから、余白ラインに対応する部分の画像データを削除する。そして、印字画像生成部３８４ｃは、余白ラインに対応する部分を削除した後の、印字群のみの画像データおよび罫線枠だけの画像データを合成して、最終的な印字画像の画像データとする。このような方法を用いることで、基本画像の画像データから、罫線のみが存在する部分だけを削除し、印字画像の画像データを生成することが容易である。
【０１１３】
また、印字画像生成部３８４ｃは、次のような方法で罫線のみが存在する部分の把握および削除を行ってもよい。印字画像生成部３８４ｃは、基本画像の画像データと、罫線枠（フォーマット）だけの画像データを準備する。そして、基本画像記憶領域８３ｅに記憶された画像データの中で“１”のビットが見つかった場合には、罫線枠だけの画像データを参照し、対応する位置に配されるビットが、“１”か“０”かの判定を行う。そして、対応する位置に配されるビットが、“１”の場合には、その部分は罫線であると判定する。これを繰り返し、基本画像記憶領域８３ｅに記憶された画像データの中で、罫線に相当する部分以外に“１”が存在しないラインを発見した場合には、そのラインを罫線のみしか存在しないラインと判断する。そして、そのラインに対応する部分を、基本画像の画像データから削除して、印字画像の画像データを生成する。このような方法を用いることで、基本画像の画像データから、罫線のみが存在する部分だけを削除することが容易である。
【産業上の利用可能性】
【０１１４】
本発明に係るラベル印字装置は、罫線で縁取りされたラベルを印刷する場合にも、ラベル使用量の抑制を図ることが可能なラベル印刷装置として有用である。
【符号の説明】
【０１１５】
１０  ラベル印字装置
８４ａ  把握部
８４ｃ  印字画像生成部
ＭＦ  メイン罫線枠
ＬＳ  台紙レスラベル
ＬＰ  ラベル片
ＳＦ１−１〜６  項目印字用サブ罫線枠（第１サブ罫線枠）
ＳＦ２−１〜６  内容印字用サブ罫線枠（第２サブ罫線枠）
【先行技術文献】
【特許文献】
【０１１６】
【特許文献１】特開２００２−２８３６３３号公報
【図１】
2015033809.tif 000003
【図２】
2015033809.tif 000004
【図３】
2015033809.tif 000005
【図４】
2015033809.tif 000006
【図５】
2015033809.tif 000007
【図６】
2015033809.tif 000008
【図７】
2015033809.tif 000009
【図８】
2015033809.tif 000010
【図９】
2015033809.tif 000011
【図１０】
2015033809.tif 000012
【図１１】
2015033809.tif 000013
【図１２】
2015033809.tif 000014